(57)【要約】【課題】キャプチャ処理時の表示画面と同じようなキャプチャ画像を表示させる技術を提供すること。【解決手段】情報処理装置は、画像データに基づき画面に表示された表示画像に対応するキャプチャ画像として、前記画像データを取得する第１取得部と、取得されたキャプチャ画像に対応する、表示画像の明るさに関する分布情報を取得する第２取得部と、第１取得部により取得されたキャプチャ画像と、第２取得部により取得された分布情報とを対応付けて記憶する記憶部とを有する。【選択図】図１
2018194585.tif 000002
【特許請求の範囲】
【請求項１】
画像データに基づき画面に表示された表示画像に対応するキャプチャ画像として、前記画像データを取得する第１取得部と、
取得された前記キャプチャ画像に対応する、前記表示画像の明るさに関する分布情報を取得する第２取得部と、
前記第１取得部により取得された前記キャプチャ画像と、前記第２取得部により取得された分布情報とを対応付けて記憶する記憶部とを有することを特徴とする情報処理装置。
【請求項２】
前記第２取得部は、前記表示画像にオーバーホワイト処理が行われている場合に、前記分布情報を取得することを特徴とする請求項１に記載の情報処理装置。
【請求項３】
前記分布情報は、前記表示画像の各画素の表示輝度であることを特徴とする請求項１又は２に記載の情報処理装置。
【請求項４】
前記分布情報は、前記キャプチャ画像に付加された状態で前記記憶部に記憶されることを特徴とする請求項１〜３のいずれか１項に記載の情報処理装置。
【請求項５】
前記第２取得部は、前記表示画像を表示する際に前記画像データの補正に用いられた補正データをさらに取得し、
前記第２取得部により取得された補正データは、前記キャプチャ画像と対応付けて記憶部に記憶されることを特徴とする請求項１〜４のいずれか１項に記載の情報処理装置。
【請求項６】
前記第１取得部は、前記画面に映像が表示されている場合に、キャプチャ画像を取得する指示があったタイミングのフレームの画像データをキャプチャ画像として取得することを特徴とする請求項１〜５のいずれか１項に記載の情報処理装置。
【請求項７】
前記第２取得部は、前記第１取得部により前記キャプチャ画像が取得されてから所定時間を経過した後の時点の分布情報を取得することを特徴とする請求項１〜６のいずれか１項に記載の情報処理装置。
【請求項８】
前記第２取得部は、前記第１取得部により前記キャプチャ画像が取得されてから所定時間を経過した後の時点の補正データを取得することを特徴とする請求項５に記載の情報処理装置。
【請求項９】
画像データに基づき画面に表示された表示画像に対応するキャプチャ画像として、前記画像データを取得する第１取得部と、
取得された前記キャプチャ画像に対応する、前記表示画像の明るさに関する分布情報を取得する第２取得部と、
前記第１取得部により取得された前記キャプチャ画像と、前記第２取得部により取得された分布情報とに基づいて、前記表示画像の輝度を擬似した擬似画像を生成する画像生成部と、
前記擬似画像を記憶する記憶部と、を有することを特徴とする情報処理装置。
【請求項１０】
請求項１〜９のいずれか１項に記載の情報処理装置と、
画面を有する表示部と、
前記表示部に照明光を照射する照明部と、を有することを特徴とする表示装置。
【請求項１１】
前記照明部は、複数の制御領域毎に照明光の光量を変更する制御が可能であることを特徴とする請求項１０に記載の表示装置。
【請求項１２】
前記分布情報は、前記照明部の領域毎の輝度制御情報であることを特徴とする請求項１１に記載の表示装置。
【請求項１３】
情報処理装置の制御方法であって、
画像データに基づき画面に表示された表示画像に対応するキャプチャ画像として、前記画像データを取得するステップと、
取得された前記キャプチャ画像に対応する、前記表示画像の各位置の明るさに関する分布情報を取得するステップと、
取得された前記キャプチャ画像と前記分布情報とを対応付けて記憶部に記憶するステップとを有することを特徴とする情報処理装置の制御方法。
【請求項１４】
コンピュータを請求項１〜９のいずれか１項に記載された情報処理装置の各部として機能させるためのプログラム。
【発明の詳細な説明】
【技術分野】
【０００１】
本発明は、情報処理装置の制御方法に関する。
【背景技術】
【０００２】
液晶ディスプレイに入力された画像データに応じてバックライトの各領域の輝度を変化させるとともに、バックライトの輝度の変化に応じて画像データを補正することによって液晶ディスプレイに表示される画像の明るさを調整する技術がある。この技術により、一般に黒浮きと呼ばれている、バックライトからの照明光が強くなって本来黒色の画像が表示されている部分がやや明るくなり灰色に見える現象を抑制することができる。
一方でバックライトからの照明光を本来よりも強くし、画面の一部又は全体の表示輝度を意図的に上げる処理（以下、オーバーホワイト処理）を行うことで、画面に表示される画像を本来よりも高いコントラスト比とすることもできる。これにより、ユーザに臨場感をより感じさせることができる。
例えば、室内を撮影した画像の中の窓の部分をオーバーホワイト処理し、他の部分よりも明るくすることにより、窓から見える景色が際立つようになり、臨場感の高い画像とすることができる。
【０００３】
また、画像表示装置の一般的な機能として、ユーザの指示に応じて画面に表示されている画像を画像ファイルとして記録するキャプチャ機能がある（例えば、特許文献１）。
【先行技術文献】
【特許文献】
【０００４】
【特許文献１】特開２００７−１２９５０４号公報
【発明の概要】
【発明が解決しようとする課題】
【０００５】
しかしながら、オーバーホワイト処理時にキャプチャ処理され記憶領域に記録されたキャプチャ画像を画面に表示する場合に、バックライトが通常の輝度で点灯する。このため、後から表示させたキャプチャ画像がキャプチャ処理時の表示画面と異なるという問題がある。
本発明は、上記の問題点に鑑み、キャプチャ処理時の表示画面と同じようなキャプチャ画像を表示させる技術を提供することを目的とする。
【課題を解決するための手段】
【０００６】
本発明の第一態様は、画像データに基づき画面に表示された表示画像に対応するキャプチャ画像として、前記画像データを取得する第１取得部と、取得された前記キャプチャ画像に対応する、前記表示画像の明るさに関する分布情報を取得する第２取得部と、前記第１取得部により取得された前記キャプチャ画像と、前記第２取得部により取得された分布情報とを対応付けて記憶する記憶部とを有することを特徴とする情報処理装置を提供する。
【０００７】
本発明の第二態様は、情報処理装置の制御方法であって、画像データに基づき画面に表示された表示画像に対応するキャプチャ画像として、前記画像データを取得するステップと、取得された前記キャプチャ画像に対応する、前記表示画像の明るさに関する分布情報を取得するステップと、前記第１取得部により取得された前記キャプチャ画像と、前記第２取得部により取得された分布情報とを対応付けて記憶部に記憶するステップとを有することを特徴とする情報処理装置の制御方法を提供する。
【０００８】
本発明の第三態様は、コンピュータを第一態様に記載された情報処理装置の各部として機能させるためのプログラムを提供する。
【発明の効果】
【０００９】
本発明によれば、キャプチャ処理時の表示画面と同じようなキャプチャ画像を表示させることができる。
【図面の簡単な説明】
【００１０】
【図１】実施例１の画像表示装置の構成の例を示すブロック図である。
【図２】オーバーホワイト処理の流れを例示するフローチャート図である。
【図３】入力画像を例示する図である。
【図４】オーバーホワイト処理をしない場合の制御の例を示す図である。
【図５】オーバーホワイト処理をする場合の第１の制御の例を示す図である。
【図６】オーバーホワイト処理をする場合の第２の制御の例を示す図である。
【図７】オーバーホワイト処理時のキャプチャ処理の流れの例を示す図である。
【図８】キャプチャ画像を表示する際の処理の流れの例を示す図である。
【図９】実施例２の画像表示装置の機能を示すブロック図である。
【図１０】擬似オーバーホワイト画像の生成処理の例を示す図である。
【図１１】画像処理パラメータの第１の例を示す図である。
【図１２】画像処理パラメータの第２の例を示す図である。
【発明を実施するための形態】
【００１１】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【００１２】
＜実施例１＞
（画像表示装置１００の構成）
図１は、実施例１の画像表示装置１００の構成の例を示すブロック図である。
画像表示装置１００は、入力部１０１、画像処理部１０２、ＯＳＤ合成部１０３、入力切替部１０４、オーバーホワイト制御部１０５、画像補正部１０６、表示部１０７、バックライト制御部１０８及びバックライト１０９を備える。さらに画像表示装置１００は、キャプチャ画像取得部１１０、画像補正パラメータ取得部１１１、光量分布算出部１１２、キャプチャ画像書き込み部１１３、記憶部１１４及びキャプチャ画像読み出し部１１５を備える。
入力部１０１は、動画又は静止画（以下、入力画像）の入力を受け付ける。
画像処理部１０２は、色変換処理、輝度変換処理、解像度変換処理、フレームレート変換処理などの画像処理を行う。
ＯＳＤ（On Screen Display）合成部１０３は、ユーザ操作等に基づいて、メニュー画
面やヒストグラム等の統計情報といったＯＳＤを生成し、入力画像に重畳させて表示させる。
入力切替部１０４は、ＯＳＤ合成部１０３から出力される入力画像、又はキャプチャ画像読み出し部１１５から出力されるキャプチャ画像のいずれか一方をユーザ操作に基づいて選択し、画像補正部１０６に出力する。
【００１３】
オーバーホワイト制御部１０５は、ユーザ指示に基づいて、オーバーホワイト処理を実施した場合のバックライト制御値を算出してバックライト制御部１０８に出力する。バックライト制御値は、バックライト１０９の発光輝度を制御するためのパラメータである。例えば、バックライト制御値は、バックライト１０９に出力するＰＷＭ（Ｐｕｌｓｅ  Ｗｉｄｔｈ  Ｍｏｄｕｌａｔｉｏｎ）信号のＨｉｇｈ期間の割合を示す値であり、バックライト制御値が大きいほど明るく点灯する。
また、画像表示装置１００がバックライト１０９の輝度を制御領域毎に部分的に制御可能なローカルディミング機能を有する場合、オーバーホワイト制御部１０５は、制御領域毎にバックライト制御値を算出し、それぞれをバックライト制御部１０８に出力する。
【００１４】
また、オーバーホワイト制御部１０５は、バックライト制御値に応じた画像補正パラメータを算出して画像補正部１０６に出力する。画像補正パラメータとは、本実施例ではバックライト１０９からの照明光の光量に応じて画像の明暗を調整するためのパラメータであるものとする。すなわち、画像補正パラメータは、表示画像を表示する際の画像データの補正に用いられる補正データである。なお、オーバーホワイト処理に応じた画像補正パラメータの算出に関しては後述する。
【００１５】
画像補正部１０６は入力された画像補正パラメータ（補正データ）に基づいて入力画像の輝度値を補正する。なお、輝度値は、表示部１０７に表示される画像のＲＧＢ値に基づく明るさであり、ＲＧＢ値を所定の数式に代入することより算出される。
表示部１０７は、例えば液晶パネルであり、画像補正部１０６により補正された画像を表示する。
バックライト制御部１０８は、オーバーホワイト制御部１０５から入力されたバックライト制御値に基づいてバックライト制御信号を生成する。
バックライト１０９（照明部）は、複数のＬＥＤ等の発光素子から構成された発光体であり、バックライト制御部１０８で生成されたバックライト制御信号に基づいて、表示部１０７の背面から光を照射する。また、バックライト１０９がローカルディミング機能を有する場合、バックライト１０９は、バックライト制御信号に基づいて制御領域毎に照明光の光量を制御する。
【００１６】
キャプチャ画像取得部１１０（第１取得部）は、入力画像（画像データ）に基づいて画像表示装置１００の画面に表示されている画像に対応するキャプチャ画像として、入力画像を取得する。具体的には、キャプチャ画像取得部１１０は、ユーザから受けたキャプチャ画像を取得する指示に応じて、入力された映像（入力画像）の１フレーム分の画像データを取得する。
画像補正パラメータ取得部１１１（第２取得部）は、画像補正部１０６が使用している画像補正パラメータを取得する。
光量分布算出部１１２（第２取得部）は、キャプチャ画像に対応する、表示部１０７の表示領域における光量分布情報（分布情報）を算出して取得する。ここで光量分布情報とは、表示部１０７に表示画像の各画素の表示輝度である。また、光量分布情報は、バックライトの各制御領域のバックライト制御値（輝度制御情報）であってもよい。
また、光量分布算出部１１２は、オーバーホワイト処理が行われた場合にのみ、光量分布情報を取得するようにしてもよい。
キャプチャ画像書き込み部１１３は、画像補正パラメータ取得部１１１が取得した画像補正パラメータと、光量分布算出部１１２が算出した光量分布情報とを、キャプチャ画像取得部１１０が取得したキャプチャ画像に対応づけて記憶部１１４に出力する。なお、キャプチャ画像書き込み部１１３は、光量分布情報をキャプチャ画像に付加された状態で記憶部１１４に出力してもよい。
【００１７】
キャプチャ画像読み出し部１１５は、キャプチャ画像を表示する指示に応じて、記憶部
１１４からキャプチャ画像を読み出して入力切替部１０４に出力する。さらにキャプチャ画像読み出し部１１５は、画像補正パラメータおよび光量分布情報を記憶部１１４から読み出してオーバーホワイト制御部１０５に出力する。
【００１８】
（オーバーホワイト処理の流れ）
次に、本実施例の画像表示装置１００が入力部１０１から入力された画像に対してオーバーホワイト処理を行い、画像を表示する場合の処理の流れについて図２のフローチャートを用いて説明する。
図２は、オーバーホワイト処理の流れを例示するフローチャート図である。
ステップＳ２０１で画像表示装置１００は、ユーザからオーバーホワイト処理の実施の指示を受付けたか否かを判定する。例えば、ユーザは、リモコン、タッチパネル、マウス等の不図示の操作入力部を介して画像表示装置１００に対してオーバーホワイト処理の実施を指示することができる。画像表示装置１００は、オーバーホワイト処理の実施の指示をユーザから受付けた場合、ステップＳ２０２に移行する。
ステップＳ２０２で画像表示装置１００は、オーバーホワイト処理によって表示輝度を上げる領域と、当該領域の目標輝度値との指定をユーザから受け付ける。ここで表示輝度とは、表示部１０７の画面に表示されている画像の明るさを示しており、本実施例では０〜２５５の範囲の値とし、値が大きいほど明るいものとする。また、目標輝度値は、目標とする表示輝度を示し、表示部１０７の表示領域（画面）の画素毎に設定される値である。したがって、表示輝度を上げる領域と、当該領域の目標輝度値とを指定することにより、オーバーホワイト処理が行われる領域とその領域の明るさが指定される。
【００１９】
また、画像表示装置１００は、表示輝度を上げる領域、及び目標輝度値の指定を自動で行ってもよい。この場合、オーバーホワイト制御部１０５は、画像処理部１０２から出力される画像を解析し、輝度値が所定の閾値以上である画素の領域を、表示輝度を上げる領域とする。例えば、室内を撮影した画像の中で輝度値が閾値以上の窓の領域が、表示輝度を上げる領域に設定される。
また、画像表示装置１００は、表示輝度を上げる領域、及び目標輝度値の指定を自動で行う場合に、あらかじめ登録された輝度値変換テーブルを用いてもよい。この場合、オーバーホワイト処理部１０５は、画像処理部１０２から出力される画像の輝度分布を解析し、輝度値が所定の閾値以上である画素に対して、予め登録した輝度値変換テーブル等を参照して輝度値を自動で変換する等とする。
【００２０】
ステップＳ２０３でオーバーホワイト制御部１０５は、目標輝度値に基づいてオーバーホワイト処理を行う際のバックライト制御値を算出し、バックライト制御部１０８に出力する。
ステップＳ２０４でオーバーホワイト制御部１０５は、バックライト制御値に応じた画像補正パラメータを算出し、画像補正部１０６に出力する。
【００２１】
以下、図３〜図６を用いてオーバーホワイト処理をする際のバックライト制御値及び画像補正パラメータの算出について説明する。
図３は、入力画像２００を例示する図である。入力画像２００は、輝度値が比較的低い暗部領域２０１と、輝度値が比較的高い明部領域２０２とを含む。図３の例では、入力画像２００は室内を撮影した画像であるものとし、暗い室内が写っている領域が暗部領域２０１であり、窓が写っている領域が明部領域２０２であるものとする。また、本実施例では入力画像の輝度値の範囲が１〜２５６（８bit階調）であるものとし、暗部領域２０１
の輝度値は４０であり、明部領域２０２の輝度値は２４０であるものとする。
【００２２】
次に、オーバーホワイト処理をした場合の図３の入力画像２００の表示と、オーバーホワイト処理をしない場合の入力画像２００の表示とを例示して説明する。なお、以下の２
つの例では、説明を単純化するため、ここでは画像処理部１０２、およびＯＳＤ合成部１０３による制御を考慮しないものとする。
図４Ａ〜図４Ｃは、オーバーホワイト処理をしない場合の制御の例を示す図である。
図４Ａは、バックライト制御値の分布を示す図である。本実施例では、バックライト制御値の範囲は１〜２５６（８bit階調）とし、バックライト１０９の発光輝度はバックラ
イト制御値の大きさに比例するものとする。オーバーホワイト処理を実施していない場合、バックライト制御部１０８は、バックライト１０９全体のバックライト制御値を６４（最大値の１／４）に制御するものとする。
【００２３】
図４Ｂは、入力画像２００の輝度値の分布を示す図である。オーバーホワイト処理をしない場合の輝度値の分布は、図３の入力画像２００と同じであるものとする。従って、暗部領域３０１の輝度値は４０、明部領域３０２の輝度値は２４０であり、コントラスト比は１：６である。
図４Ｃは、表示画面の表示輝度の分布を示す図である。暗部領域２０１及び明部領域２０２の表示輝度は、下記の式（１）によって算出できる。
表示輝度＝輝度値×（バックライト制御値／バックライト制御値の最大値）  ・・・（１）
【００２４】
式（１）を用いて暗部領域２０１の表示輝度を算出すると、４０×（６４／２５６）＝１０となる。また、明部領域２０２の表示輝度を算出すると、２４０×（６４／２５６）＝６０となる。したがって、コントラスト比は１：６となり、入力画像２００と同じコントラスト比となる。
なお、上記説明では、バックライト制御値と画像の輝度値から計算によって表示輝度を算出したが、表示部１０７に輝度センサ（不図示）を設け、輝度センサの出力値から表示輝度を算出してもよい。
【００２５】
図５Ａ〜図５Ｃは、オーバーホワイト処理をする場合の第１の制御の例を示す図である。図５Ａは、オーバーホワイト処理時の場合のバックライト制御値の分布を示す図である。オーバーホワイト処理を実施している場合のバックライト制御値を、オーバーホワイト処理を実施していない場合の４倍とし、バックライト制御部１０８は、バックライト１０９全体のバックライト制御値を２５６（最大値）となるように制御する。
図５Ｂは、オーバーホワイト処理をする場合の入力画像２００’の輝度値の分布を示す図である。オーバーホワイト処理をする場合、画像補正部１０６は、バックライト制御値がオーバーホワイト処理をしない場合の４倍であることに応じて、暗部領域２０１の輝度値を１／４の１０に補正する。一方、画像補正部１０６は、明部領域２０２の表示輝度を高くするため、明部領域２０２の輝度値は補正しない。
図５Ｃは、オーバーホワイト処理をする場合の表示画面の表示輝度の分布を示す図である。式（１）を用いて暗部領域２０１の表示輝度を算出すると、１０×（２５６／２５６）＝１０となり、オーバーホワイト処理をしない場合と表示輝度は変わらない。また、明部領域２０２の表示輝度を算出すると、２４０×（２５６／２５６）＝２４０となり、オーバーホワイト処理をしない場合の４倍の表示輝度となる。したがって、オーバーホワイト処理により明部領域２０２だけが明るくなり、コントラスト比は１：２４となる。
【００２６】
また、バックライト１０９の輝度を複数の制御領域毎に制御するローカルディミングが可能な場合、画像表示装置１００は、制御領域毎にバックライト制御値及び輝度値を制御してもよい。
図６Ａ〜図６Ｃは、ローカルディミングが可能なバックライト１０９に対して、オーバーホワイト処理をする場合の第２の制御の例を示す図である。図６Ａは、オーバーホワイト処理時の場合のバックライト制御値の分布を示す図である。図６Ａのように、バックライト１０９は、制御領域６０１〜制御領域６０６の６つの制御領域を有する。バックライ
ト制御部１０８は、制御領域６０１〜制御領域６０６の６つの制御領域毎にバックライト制御値を設定する。例えば、バックライト制御部１０８は、明部領域２０２に対応する制御領域６０１のバックライト制御値を、オーバーホワイト処理しない場合の４倍の２５６に設定する。一方、バックライト制御部１０８は、暗部領域２０１に対応する制御領域６０２〜６０６のバックライト制御値を、オーバーホワイト処理しない場合と同様の６４に設定する。
【００２７】
図６Ｂは、オーバーホワイト処理をする場合の入力画像２００”の輝度値の分布を示す図である。オーバーホワイト処理をする場合、画像補正部１０６は、制御領域６０１のバックライト制御値がオーバーホワイト処理をしない場合の４倍であることに応じて、制御領域６０１に対応する位置の暗部領域２０１の輝度値を１／４の１０に補正する。一方、画像補正部１０６は、明部領域２０２の輝度値は補正しない。また、制御領域６０２〜６０６においては、オーバーホワイト処理をしていないため、輝度値を補正せず、輝度値を４０とする。
図６Ｃは、オーバーホワイト処理をする場合の表示画面の表示輝度の分布を示す図である。式（１）を用いて制御領域６０１に対応する位置の暗部領域２０１の表示輝度を算出すると、１０×（２５６／２５６）＝１０となる。また、制御領域６０２〜６０６に対応する位置の暗部領域２０１の表示輝度を算出すると、４０×（６４／２５６）＝１０となり、制御領域６０１に対応する位置の暗部領域２０１の表示輝度と同じとなる。
一方、明部領域２０２の表示輝度を算出すると、２４０×（２５６／２５６）＝２４０となり、表示輝度はオーバーホワイト処理をしない場合の４倍となる。
したがって、オーバーホワイト処理により明部領域２０２の表示輝度だけが２４０と明るくなり、それ以外の制御領域６０１の暗部領域２０１、及び制御領域６０２〜６０６の暗部領域２０１の表示輝度が１０となり、コントラスト比は１：２４となる。
【００２８】
なお、図５Ａ〜図５Ｃのようにバックライト発光輝度が画面全体に渡って均一である場合、バックライト制御部１０８は、バックライト制御値を８bitの単一のデータとして算
出し、バックライト１０９に送信する。一方で図６Ａ〜図６Ｃのように複数の制御領域毎に発光輝度を制御（ローカルディミング制御）できる場合、バックライト制御部１０８は、各制御領域のバックライト制御値を示す複数個の８bitデータとして算出し、それぞれ
をバックライト１０９に送信する。
【００２９】
図２に戻る。ステップＳ２０５でバックライト制御部１０８は、オーバーホワイト制御部１０５から出力されたバックライト制御値に基づいてバックライト１０９を発光させる。
ステップＳ２０６で画像補正部１０６は、画像補正パラメータに基づいて入力画像２００を補正し、補正した入力画像２００を表示部１０７に出力する。
ステップＳ２０７で表示部１０７は、画像補正部１０６によって補正された画像を表示する。これにより、オーバーホワイト処理された入力画像２００が表示部１０７に表示される。
【００３０】
（オーバーホワイト処理時のキャプチャ処理の流れ）
次に、図２の流れでオーバーホワイト処理された入力画像２００をキャプチャ処理する場合の処理の流れを説明する。
図７は、オーバーホワイト処理時のキャプチャ処理の流れの例を示すフローチャート図である。
ステップＳ７０１でユーザが操作入力部（不図示）を介して、画像表示装置１００は、ユーザからキャプチャ処理の指示を受け付けたか否かを判定し、キャプチャ処理の指示を受付けた場合（ステップＳ７０１ＹＥＳ）、ステップＳ７０２に移行する。
ステップＳ７０２でキャプチャ画像取得部１１０は、ＯＳＤ合成部１０３から入力され
た映像（入力画像）のキャプチャ処理の指示があった時点のフレームの画像をキャプチャ画像として取得する。または、キャプチャ画像取得部１１０は、画像処理部１０２から出力される映像のキャプチャ処理の指示があった時点のフレームの画像をキャプチャ画像として取得してもよい。
すなわち、キャプチャ画像取得部１１０は、入力画像にＯＳＤが重畳して表示された画像をキャプチャ画像として取得してもよく、入力画像のみを含む画像をキャプチャ画像として取得してもよい。
ステップＳ７０３で画像補正パラメータ取得部７０３は、画像補正部１０６が使用している画像補正パラメータを取得する。
【００３１】
ステップＳ７０４で光量分布算出部１１２は、バックライト１０９の発光による、表示部１０７の液晶パネルの面における光量分布情報を算出する。ここで光量分布情報は、表示部１０７の各位置の表示輝度を８bitで０〜２５５までの値で示した情報である。例え
ば、光量分布は、図５Ｃ及び図６Ｃに例示されている。
【００３２】
ステップＳ７０５でキャプチャ画像書き込み部１１３は、オーバーホワイト制御部１０５によってオーバーホワイト処理が実施されているか否かを判定する。オーバーホワイト処理が実施されている場合、ステップＳ７０６でキャプチャ画像書き込み部１１３は、キャプチャ画像、画像補正パラメータ、光量分布情報、フラグ情報を対応づけて記憶部１１４に記録する。ここでフラグ情報とは、オーバーホワイト処理を実施しているとき取得されたキャプチャ画像であることを意味するフラグである。
【００３３】
本実施例では、キャプチャ画像のデータ内に、画像補正パラメータ、光量分布情報及びフラグ情報を挿入する。具体的には、まず、キャプチャ画像書き込み部１１３は、キャプチャ画像をＪＰＥＧ（Ｊｏｉｎｔ Ｐｈｏｔｏｇｒａｐｈｉｃ Ｅｘｐｅｒｔｓ Ｇｒｏｕ
ｐ）形式に変換する。続いて、キャプチャ画像書き込み部１１３は、画像補正パラメータ、光量分布情報、およびフラグ情報をＪＰＥＧファイルのＥＸＩＦ（Ｅｘｃｈａｎｇｅａｂｌｅ ｉｍａｇｅ ｆｉｌｅ ｆｏｒｍａｔ）情報として付加することによって対応付け
を行う。
なお、画像補正パラメータ、光量分布情報、およびフラグ情報の記録方法は上記の方法に限定されない。例えば、キャプチャ画像の画像データのヘッダ部に記録してもよい。また、各キャプチャ画像の情報を管理するテーブルに画像補正パラメータ、光量分布情報、およびフラグ情報を対応付けて記録してもよい。
【００３４】
一方、ステップＳ７０５でオーバーホワイト処理が実施されていない場合、キャプチャ画像のみを記憶部１１４に記憶させる（Ｓ７０７）。
【００３５】
また、本実施例では、バックライト制御ではヒストグラム等の映像信号の統計情報を取得し、映像に応じた制御を実施する。このため、統計情報を取得してからバックライト制御値を算出するまでに数フレーム程度の処理時間が必要となり、バックライト１０９の制御に遅延が生じる場合がある。そこで、光量分布算出部１１２は、光量分布情報をバックライト制御の遅延量分に相当する所定時間経過後に取得してもよい。同様に、画像補正パラメータ取得部１１１は、画像補正パラメータをバックライト制御の遅延量分に相当する所定時間経過後に取得してもよい。
これにより、オーバーホワイト処理されたキャプチャ画像が、制御の遅延により不自然になることを抑制することができる。
【００３６】
また、オーバーホワイト処理によってバックライト１０９の輝度が高い時間が継続し、バックライト１０９の温度が高温となった場合に、バックライトの制御が制限される場合がある。したがって、オーバーホワイト処理時においてもディスプレイの連続駆動時間や
設置環境によっては、十分にバックライト１０９の輝度が上がらない場合がある。
このようにバックライト１０９の制御が制限されている場合において、キャプチャ画像書き込み部１１３は、制限がない状態の画像補正パラメータ、光量分布情報を取得し、キャプチャ画像に対応付けて記憶部１１４に記憶させてもよい。
これにより、キャプチャを指示するタイミングによらず、オーバーホワイト処理が実行された状態のキャプチャ画像を表示することができる。
【００３７】
（キャプチャ画像を表示する際の処理の流れ）
次に、オーバーホワイト処理中のキャプチャ画像を、オーバーホワイト処理を再現しながら表示する場合の処理の流れについて説明する。
図８は、キャプチャ画像を表示する際の処理の流れの例を示す図である。ステップＳ８０１で画像表示装置１００は、キャプチャ画像を再生する指示を受付けたか否かを判定する。キャプチャ画像を再生する指示を受付けた場合、ステップＳ８０２に移行する。
ステップＳ８０２でキャプチャ画像読み出し部１１５は、キャプチャ画像、およびキャプチャ画像に対応する画像補正パラメータ、光量分布情報、フラグ情報を記憶部１１４から読み出す。なお、本実施例では、キャプチャ画像読み出し部１１５は、キャプチャ画像の中からＥＸＩＦ情報を読み出すことにより、キャプチャ画像に関する画像補正パラメータ、光量分布情報、フラグ情報を取得する。
ステップＳ８０３でキャプチャ画像読み出し部１１５は、キャプチャ画像を入力切替部１０４に出力し、キャプチャ画像、画像補正パラメータ、光量分布情報、およびフラグ情報をオーバーホワイト制御部１０５にそれぞれ出力する。
ステップＳ８０４で入力切替部１０４は、画像補正部１０６に出力する画像を、映像（入力画像）からキャプチャ画像に切り替える。
【００３８】
ステップＳ８０５でオーバーホワイト制御部１０５は、フラグ情報を参照し、読み出したキャプチャ画像がオーバーホワイト処理中に取得されたキャプチャ画像であるか否かを判定する。オーバーホワイト制御部１０５は、オーバーホワイト処理中にキャプチャされた画像であると判定した場合、ステップＳ８０６の処理に移行する。
ステップＳ８０６でオーバーホワイト制御部１０５は、入力されたキャプチャ画像と光量分布情報とに基づいて、光量分布を再現するためのバックライト制御値を算出し、バックライト制御部１０８に出力する。
また、バックライト１０９から発光される光の拡散具合を考慮した変換テーブルを記憶部１４に予め登録しておき、オーバーホワイト制御部１０５は、この変換テーブルを用いてバックライト制御値を算出するようにしてもよい。ここで変換テーブルは、例えば、バックライト１０９の各制御領域を点灯させた場合の表示部１０７の各位置の表示輝度を有するテーブルである。このように変換テーブルを用いてバックライト制御値を算出することにより、キャプチャ画像を表示する場合に、キャプチャ処理時の光量分布をより精度よく再現することができる。
【００３９】
ステップＳ８０７でオーバーホワイト制御部１０５は、キャプチャ画像に対応する画像補正パラメータを画像補正部１０６に出力する。
ステップＳ８０８でバックライト制御部１０８は、オーバーホワイト制御部１０５から入力されたバックライト制御値に基づく発光輝度でバックライト１０９を発光させる。
ステップＳ８０９で画像補正部１０６は、オーバーホワイト制御部１０５から入力された画像補正パラメータに基づいて入力切替部１０４から出力される画像を補正する。
以上のステップＳ８０６〜Ｓ８０９の処理より、オーバーホワイト処理中のキャプチャ画像を、オーバーホワイト処理を再現しながら表示することが可能となる。
【００４０】
一方、ステップＳ８０５でオーバーホワイト処理中にキャプチャされた画像でない場合、ステップＳ８１０の処理に移行する。
ステップＳ８１０でオーバーホワイト制御部１０５は、通常の発光輝度でバックライトを発光させるためのバックライト制御値をバックライト制御部１０８に出力する。
ステップＳ８１１でオーバーホワイト制御部１０５は、画像補正を実施しない場合の画像補正パラメータを画像補正部１０６に出力する。すなわち、オーバーホワイト制御部１０５は、入力画像が補正されないように補正量を０とする場合の画像補正パラメータを出力する。なお、オーバーホワイト制御部１０５は、画像補正パラメータの代わりに画像補正を実施しないことを意味する制御信号を画像補正部１０６に出力してもよい。
ステップＳ８１２でバックライト制御部１０８は、オーバーホワイト制御部１０５から入力されたバックライト制御値に基づいて、通常の発光輝度でバックライト１０９を発光させる。
ステップＳ８１３で画像補正部１０６は、入力された画像補正パラメータ、あるいは制御信号に基づいて、入力切替部１０４から出力された画像を補正せずに表示部１０７に出力する。
【００４１】
ステップＳ８１４で表示部１０７は、画像補正部１０６から出力された画像を表示させる。以上のステップＳ８１０〜Ｓ８１３処理により、オーバーホワイト処理をしていない場合のキャプチャ画像を通常通りに表示することができる。
なお、映像（入力画像）からキャプチャ画像が取得された直後においてもキャプチャ画像をユーザに確認させるため、画像表示装置１００は、上記処理を行ってもよい。キャプチャ画像が取得された直後とは、例えば、図７のフローチャートの処理が完了した後である。
【００４２】
なお、本実施例ではキャプチャ画像を取得した際の光量分布情報を記憶部１１４に記憶させ、キャプチャ画像を表示する際にこれを用いることでオーバーホワイト処理を再現したが、これに限定されない。光量分布情報の代わりに、キャプチャ画像を取得した際のバックライト制御値を記憶部１１４に記憶させ、キャプチャ画像を表示する際にこれを用いてもよい。
これにより、オーバーホワイト制御部１０５での演算が不要となるため処理を簡略化することが可能となる。一方で、本実施例のように光量分布情報に基づいて算出されたバックライト制御値を用いることにより、照明光の拡散の影響を考慮してバックライト１０９をより高い精度で制御することができる。
【００４３】
また、バックライト１０９が複数色（赤、青、緑など）の光源から構成されている場合は、各色に関するバックライト制御値がキャプチャ画像に対応付けられて記憶部１１４に記録される。例えば、色毎のバックライト制御値がＥＸＩＦ情報としてキャプチャ画像の中に記録される。
そして、オーバーホワイト制御部１０５は、キャプチャ画像を表示する際、複数色の光源それぞれの発光輝度を、記憶部１１４から読み出した各々のバックライト制御値に基づいて制御する。これにより、バックライト１０９が複数色の光源から構成される画像表示装置１００においても、オーバーホワイト処理を再現しながらキャプチャ画像を表示することが可能となる。さらに、複数色の光源によって表現されていた色温度についても、キャプチャ画像で再現することが可能となる。
以上のように、実施例１の画像表示装置１００によれば、キャプチャ画像ともに取得された画像補正パラメータと輝度分布情報とを用いてキャプチャ画像を表示することで、オーバーホワイト処理を再現しながらキャプチャ画像を表示することができる。
【００４４】
＜実施例２＞
本実施例では、オーバーホワイト処理による輝度分布やコントラスト比を擬似的に再現した擬似オーバーホワイト画像を生成する。これにより、オーバーホワイト機能を有さないディスプレイにおいてもオーバーホワイト処理を擬似的に再現することが可能となる。
（表示装置９００の構成）
図９は、実施例２の画像表示装置９００の機能を示すブロック図である。なお、実施例１と同じ構成要素については同一の番号を付与している。画像表示装置９００は、擬似オーバーホワイト画像生成部９０１、キャプチャ画像書き込み部９０２を備える。
擬似オーバーホワイト画像生成部９０１は、キャプチャ画像と、オーバーホワイト処理が行われた場合に取得された光量分布情報等とに基づいて、輝度値を補正した擬似オーバーホワイト画像（擬似画像）を生成する機能を有する。ここで擬似オーバーホワイト画像とは、キャプチャ画像の輝度値を補正することで、オーバーホワイト処理された状態の表示画像を擬似的に表現した画像である。具体的には、擬似オーバーホワイト画像生成部９０１は、キャプチャ画像のオーバーホワイト処理がなされた範囲において輝度値を上げる補正を行い、表示輝度を上げることでキャプチャ画像において擬似的にオーバーホワイト処理を再現する。
なお、擬似オーバーホワイト画像の生成方法については後述する。
【００４５】
キャプチャ画像書き込み部９０２は、擬似オーバーホワイト画像生成部９０１が生成した擬似オーバーホワイト画像を記憶部１１４に記憶させる。
また、ユーザがキャプチャ画像にオーバーホワイト処理を反映させるか否かを指定できるようにしてもよい。かかる場合に、キャプチャ画像にオーバーホワイト処理を反映させる指定がある場合、キャプチャ画像書き込み部９０２は、擬似オーバーホワイト画像を記憶部１１４に記憶させる。一方でオーバーホワイト処理を反映させる指定がない場合、キャプチャ画像書き込み部９０２は、通常のキャプチャ画像を記憶部１１４に記憶させる。
【００４６】
（擬似オーバーホワイト画像を生成する処理の流れ）
図１０は、擬似オーバーホワイト画像の生成処理の例を示すフローチャート図である。
ステップＳ１００１で画像表示装置９００は、キャプチャ処理を実施する指示を受付けたか否かを判定し、指示を受付けた場合、ステップＳ１００２の処理に移行する。
ステップＳ１００２で擬似オーバーホワイト画像生成部９０１は、光量分布算出部１１２によって算出された表示部１０７の光量分布情報を取得する。
ステップＳ１００３で擬似オーバーホワイト画像生成部９０１は、光量分布情報に基づいて擬似オーバーホワイト画像を生成するための画像処理パラメータを決定する。ここで、本実施例において画像処理パラメータは、入力画像の輝度値と出力画像の輝度値との関係を示す関数又はＬＵＴ（Look UP Table）であるものとする。
【００４７】
次に、コントラスト比１：６の入力画像をオーバーホワイト処理によりコントラスト比１：２４とする場合の画像処理パラメータの算出について説明する。
図１１は、画像処理パラメータの第１の例を示す図である。図１１の横軸が入力画像の輝度値を示し、縦軸が出力画像の輝度値を示す。輝度値は０〜２５５の範囲で変化するものとする。図１１のように、入力画像の輝度値が２４０の明部領域に対する出力画像の輝度値は２４０となり、輝度値が等しい。一方、入力画像の輝度値が４０の明部領域に対する出力画像の輝度値は１０となり、入力画像に対し出力画像の輝度値は１／４となる。
このように、擬似オーバーホワイト画像生成部９０１は、明部領域の輝度値は変更せず、暗部領域の輝度値を小さくしてもよい。
【００４８】
また、擬似オーバーホワイト画像生成部９０１は、オーバーホワイト処理が行われた場合に明部領域の輝度値を上げ、暗部領域の輝度値を下げることで表示画面上のコントラスト比を制御してもよい。
図１２は、画像処理パラメータの第２の例を示す図である。図１２を用いて上述の画像処理パラメータの例について説明する。図１２のように、入力画像の輝度値が２４０の明部領域に対する出力画像の輝度値は２５０であり、入力画像よりも出力画像の輝度値の方が大きい。一方で入力画像の輝度値が４０の明部領域に対する出力画像の輝度値は２５で
あり、入力画像よりも出力画像の輝度値の方が小さい。このように制御することでオーバーホワイト処理時に取得されたキャプチャ画像をより自然な状態で表示することができる。なお、上述した明部領域及び暗部領域の輝度値の制御は、一例として説明したものであり、これに限定されない。
【００４９】
図１０に戻る。ステップＳ１００４で擬似オーバーホワイト画像生成部９０１は、決定した画像処理パラメータを使用してキャプチャ画像を画素毎に画像処理する。
ステップＳ１００５で擬似オーバーホワイト画像生成部９０１は、画像処理した画像を擬似オーバーホワイト画像としてキャプチャ画像書き込み部９０２に出力する。
なお、擬似オーバーホワイト画像生成部９０１は、画像補正部１０６からの画像の輝度のコントラスト比と、表示画面上の表示輝度のコントラスト比が概ね等しい場合、画像補正部１０６の出力画像をそのまま擬似オーバーホワイト画像として出力してもよい。また、擬似オーバーホワイト画像のコントラスト比は、表示画面上の表示輝度コントラスト比と完全に一致させなくてもよい。
【００５０】
以上のように、実施例２に記載の画像表示装置９００によれば、取得されたキャプチャ画像を、別のオーバーホワイト処理に非対応のディスプレイに表示する場合あっても、オーバーホワイト処理を擬似的に実現することができる。
【００５１】
（他の実施例）
上記実施例では、入力された映像の中の１の現画像フレームをキャプチャ画像とすることを説明したが、これに限定されない。例えば、現画像フレーム間に挿入された内挿フレームのように現画像フレーム以外をキャプチャ画像としてもよい。
【００５２】
上記実施例では、バックライト１０９からの照明光の光量に応じて画像の明暗を調整するためのパラメータとして画像補正パラメータを記憶部１１４に記憶させることを記載したが、これに限定されない。例えば、画像処理部１０２によって実行される色変換処理や輝度変換処理、解像度変換処理、フレームレート変換処理、エッジ強調処理などの画像処理で使われるパラメータを画像補正パラメータとして記憶部１１４に記憶させてもよい。
【００５３】
上記実施例では、キャプチャ画像を記憶部１１４に記憶させたり、キャプチャ画像を表示させたりする画像表示装置の各構成について説明したがこれに限定されない。上述の方法でキャプチャ画像を記憶部１１４に記憶させる構成のみを有する情報処理装置であってもよい。
【００５４】
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５５】
１０５：オーバーホワイト制御部、１０６：画像補正部、１０７：表示部、１０８：バックライト制御部、１０９：バックライト、１１０：キャプチャ画像取得部、１１１：画像補正パラメータ取得部、１１２：光量分布算出部、１１３：キャプチャ画像書き込み部、１１４：記憶部
【図１】
2018194585.tif 000003
【図２】
2018194585.tif 000004
【図３】
2018194585.tif 000005
【図４】
2018194585.tif 000006
【図５】
2018194585.tif 000007
【図６】
2018194585.tif 000008
【図７】
2018194585.tif 000009
【図８】
2018194585.tif 000010
【図９】
2018194585.tif 000011
【図１０】
2018194585.tif 000012
【図１１】
2018194585.tif 000013
【図１２】
2018194585.tif 000014